【事件の表示】
　特願２００１−　６１０５３「写真シール自動販売機及び画像の明るさ変更方法」拒絶査定に対する審判事件［平成１３年１２月　７日出願公開、特開２００１−３３８３４２］について、次のとおり審決する。
【結　論】
　本件審判の請求は、成り立たない。
【理　由】
１． 手続きの経緯、本願発明
　本願は、平成１２年７月１７日（優先権主張平成１２年３月２１日）に出願した特願２０００−２１５５１３号の一部を平成１３年３月６日に新たな特許出願としたものであって、その請求項１〜３に係る発明は、平成１４年１２月２日付けの手続補正書により補正された特許請求の範囲の請求項１〜３に記載された事項により特定されるもの認められるところ、請求項１に係る発明（以下、「本願発明１」という。）は以下のとおりのものである。
「投入貨幣を処理する貨幣処理手段と、操作を入力する入力手段と、少なくとも撮像前に被写体を連続して照明する連続照明手段と、プリント画像の撮像に同期して被写体をストロボ発光して照明するストロボ照明手段と、被写体を撮像するカメラと、画像や必要事項を表示する表示手段と、撮像した被写体の写真シールをプリントして放出するプリンタと、これら構成要素を制御する制御手段とを備えた写真シール自動販売機であって、前記ストロボ照明手段及び前記連続照明手段を前記カメラの左右に配設し、被写体が行う前記貨幣処理手段に対する貨幣の投入と入力手段による入力操作に基づいて、被写体を少なくともストロボ照明手段で照明してカメラで撮像する処理と、被写体による入力手段での入力に基づいて明るさ変更手段でカメラの出力画像の全体の明るさの変更を許容し表示手段で撮像画像を表示すると共に、入力手段で前記撮像画像の落書き入力を許容する処理と、プリンタで写真シールをプリントして放出する処理とを前記制御手段に設定した写真シール自動販売機。」
　
２． 当審の拒絶理由
　一方、当審において平成１４年９月１９日付けで通知した拒絶の理由の概要は、次のとおりである。
（１）本願請求項１〜３に係る発明は、本願の優先権主張の日前に頒布された、刊行物１（特開平１１−６４９６７号公報）、刊行物２（特開平１０−２３９７６０号公報）、刊行物３（特開平１０−２２１７７３号公報）及び刊行物４（「月刊コインジャーナル」１９９９年１１月号、（株）ナムコ、平成１１年１０月３０日発行、第８９頁（中段右方））に記載された発明に基いて当業者が容易に発明をすることができたものであるから、特許法第２９条第２項の規定により特許を受けることができない。
　
（２）本件出願は、明細書の記載が不備のため、特許法第３６条第６項第２号に規定する要件を満たしていない。
　
３． 引用発明
（１）上記刊行物１には、次のように記載されている。
（イ）「この発明の顔写真撮影装置について、動作を説明する。被写体が撮影位置に入り、料金であるコイン等を投入すると主電源がＯＮとなり、照明装置やビデオカメラ１が動作し、モニター３上に被写体の顔画像を映し出す。このビデオカメラ１はオートアイリス機能により、露光状態（絞り値、ゲイン値）はシリアル通信により常時中央制御装置４に読み出すことができる。この中央制御装置４はこの露光状態に基づいて、予め登録されている最適露光条件（絞り値、ゲイン値、逆光補正値）をシリアル通信によりビデオカメラに設定する。」（段落【００１７】）
（ロ）「この顔写真撮影装置は図２に示されるようにこの被写体を撮影する画像入力手段であるビデオカメラ１を備え、このビデオカメラ１は周囲の照明状態に応じて動作するオートアイリス機能を有するものである。３は入力された画像を映し出す表示出力手段であるモニターである。４はビデオカメラ１やモニター３等へ画像出力させる制御装置である中央制御装置である。５はモニター４上に表示された顔画像の明るさまたは輝度による熱転写印画であるサーマルプリントを印画するプリンタである。６は前記プリンタに出力する操作を行う操作入力手段である。」（段落【００１６】）
（ハ）「絞りやシャッター動作時間等の撮影条件を変えて明るさの異なる複数の顔画像をモニター上に映し出し、いずれか一つの明るさの顔画像を選択して入力する入力手段を備え、この入力操作により好みの顔画像を出力印画し、あるいはモニタ上に映し出された顔部分の画像の明るさを連続的に変化させる入力手段を備え、連続的に変化する顔画像の明るさを被写体が好む明るさのところで入力操作を行い、好みの顔画像を出力印画することで前記課題は達成できる。既に撮影した被写体画像を電子的に明るさを変えた複数の顔画像を選択して操作入力することによっても前記課題は達成できる。」（段落【０００５】）
（ニ）「この発明の顔写真は粘着層、シート基材、および受像層によりラベル部（ステッカ部）が形成され、このステッカと剥離シートとの間において剥離可能な構造を有し、ステッカ部が切り込み線に沿って容易に剥離シートから離脱させた後、各種物品に貼着」（段落【００１０】）
　また、「ビデオカメラ１やモニター３等へ画像出力させる制御装置である中央制御装置」には、「被写体が行うコイン等受入れ手段に対するコイン等の投入と入力手段による入力操作に基づいて、被写体を照明装置で照明してビデオカメラ１で撮像する処理」、「被写体による入力手段での入力に基づいて明るさ変更手段でビデオカメラ１の出力画像の全体の明るさの変更を許容しモニタで撮像画像を表示する処理」、及び、「プリンタでサーマルプリントをプリントして放出する処理」が設定されていることは明白であるから、これらの記載（イ）ないし（ニ）及び図１の記載を総合すると、上記刊行物１には、次の発明（以下、「引用発明１」という。）が記載されているものと認められる。
「コイン等受入れ手段と、モニタ上に映し出された顔部分の画像の明るさを連続的に変化させる入力手段と、照明装置と、ビデオカメラ１と、モニタと、モニター４上に表示された顔画像の明るさまたは輝度による熱転写印画であるサーマルプリントを印画するプリンタと、ビデオカメラ１やモニター３等へ画像出力させる制御装置である中央制御装置４とを備えたサーマルプリント自動販売機であって、被写体が行う前記コイン等受入れ手段に対するコイン等の投入と入力手段による入力操作に基づいて、被写体を少なくともストロボ照明手段で照明してビデオカメラ１で撮像する処理と、被写体による入力手段での入力に基づいて明るさ変更手段でビデオカメラ１の出力画像の全体の明るさの変更を許容しモニタで撮像画像を表示すると共に、入力手段で前記撮像画像の落書き入力を許容する処理と、プリンタでサーマルプリントをプリントして放出する処理とを前記サーマルプリントに設定したサーマルプリント自動販売機。」
　
（２）上記刊行物２には、次のように記載されている。
（イ）「撮影室１２から見て正面の仕切壁１１には、撮影窓１７や操作パネル１８が設けられている。撮影窓１７の上方には主照明部２１ａが、撮影窓１７の下方には補助照明部２２が配置されている。また、撮影台１６の背後で下方の撮影室壁面には、背面照明部２１ｂが取り付けられている。これら照明部２１ａ，２１ｂ，２２は白色光源から構成されており、人物や物を照明する。白色光源としては、ハロゲンランプや蛍光灯などが用いられる。照明部２１ａ，２１ｂ，２２は常時オンにされており、背面照明部２１ｂは下から照明する。なお、照明部２１ａ，２１ｂ，２２を通常は低輝度で照明し、撮影時に高照度になるように制御してもよい。」（段落【００１２】）
　この記載（イ）及び図１ないし図８の記載を総合すると、上記刊行物２には、次の発明（以下、「引用発明２」という。）が記載されているものと認められる。
「写真作製装置において、常時オンにされている照明部、または、通常は低輝度で照明し、撮影時に高照度に制御される照明部を設ける」こと。
　
（３）上記刊行物４には、「ピュアショット」（これが、「写真シール自動販売機」の範疇に属する装置であることは当業者に明らかである。）の機能に関して、「落書き機能満載」、「ペン」、「おえかき自由」および「文字入力で絵日記もつけれるヨ」と記載されており、また、「落書き機能満載」との記載の下部に印刷された写真から、画像が印刷されたシールに「テストおわった〜」等の文字も印刷されていることがみてとれる。そして、「落書き機能」と記載されていることからすると、装置自体に落書きを許容する手段が設けられていることは明白であるし、この落書きを許容する手段は、上記の「ペン」、「文字入力で・・・」という記載からすると、被写体を撮影した後、被写体による「ペン」操作により、印刷前の撮像画像に文字入力等を許容するものであると解するのが妥当であるから、上記刊行物４には、次の発明（以下、「引用発明３」という。）が記載されているものと認められる。
「入力手段（ペン）で前記撮像画像に落書き入力する」こと。
　
４． 対比、判断
（１） 本願発明１と引用発明１とを対比すると、
後者における、「コイン等受入れ手段」は、前者における「投入貨幣を処理する貨幣処理手段」に、「モニタ上に映し出された顔部分の画像の明るさを連続的に変化させる入力手段」は、「操作を入力する入力手段」に、「照明装置」は、「照明手段」に、「ビデオカメラ１」は、「被写体を撮像するカメラ」に、「モニタ」は、「画像や必要事項を表示する表示手段」に、「モニター４上に表示された顔画像の明るさまたは輝度による熱転写印画であるサーマルプリントを印画するプリンタ」は、「撮像した被写体の写真シールをプリントして放出するプリンタ」に、「制御装置」は、「構成要素を制御する制御手段」に、「サーマルプリント自動販売機」は、「写真シール自動販売機」に、それぞれ、その機能からみて相当するから、両者は、
「投入貨幣を処理する貨幣処理手段と、操作を入力する入力手段と、照明手段と、被写体を撮像するカメラと、画像や必要事項を表示する表示手段と、撮像した被写体の写真シールをプリントして放出するプリンタと、これら構成要素を制御する制御手段とを備えた写真シール自動販売機であって、被写体が行う前記貨幣処理手段に対する貨幣の投入と入力手段による入力操作に基づいて、被写体を照明手段で照明してカメラで撮像する処理と、被写体による入力手段での入力に基づいて明るさ変更手段でカメラの出力画像の全体の明るさの変更を許容し表示手段で撮像画像を表示する処理と、プリンタで写真シールをプリントして放出する処理とを前記制御手段に設定した写真シール自動販売機。」
である点で一致し、次の点で相違する。
（ａ）前者においては、少なくとも撮像前に被写体を連続して照明する連続照明手段と、プリント画像の撮像に同期して被写体をストロボ発光して照明するストロボ照明手段とを備えているのに対し、後者においては、照明装置の具体的手段が不明である点
（ｂ）前者においては、前記ストロボ照明手段及び前記連続照明手段を前記カメラの左右に配設しているのに対し、後者においては、照明装置の配設位置が不明である点
（ｃ）前者においては、制御手段に、少なくともストロボ照明手段で照明してカメラで撮像する処理を設定しているのに対し、後者においては、かかる処理を設定しているかどうか不明である点
（ｄ）前者においては、制御手段に、入力手段で前記撮像画像の落書き入力を許容する処理を設定しているのに対し、後者においては、かかる処理を設定していない点
　そこで、上記相違点（ａ）についてみると、上記引用発明２は、撮影時の照明手段として、常時オンにされている照明部（本願発明１における「少なくとも撮像前に被写体を連続して照明する連続照明手段」に相当する。以下、同様。）のほか、高照度に制御される照明部（プリント画像の撮像に同期して被写体をストロボ発光して照明するストロボ照明手段）が使用されることを示しているし、画像撮影ないし写真技術分野において、照明手段として、連続照明手段およびストロボ照明手段の両方を設けることは、本願優先権主張の日前に周知のことであるので（必要ならば、特開昭１０−３３４３４２号公報、特開昭５９−９９４２５号公報等を参照のこと。）、引用発明１における照明手段として、連続照明手段およびストロボ照明手段を用いることは、当業者ならば適宜設計変更し得ることというべきである。
　次に、上記相違点（ｂ）についてみると、照明手段をどのように配置するかは、被写体上に影がでないような最適位置とするべく、当業者ならば適宜設計変更しうるものというべきであるから（なお、連続照明手段やストロボ照明手段をカメラの左右に配設することは、本願優先権主張の日前に普通に行われていることである（必要ならば、連続照明手段に関しては、特開２０００−７８５０４号公報、特開平１１−１１０６３６号公報等を、ストロボ照明手段に関しては、特開昭５９−９９４２５号公報等を参照のこと。）。）、引用発明１において、ストロボ照明手段及び前記連続照明手段をカメラの左右に配設することは、当業者ならば容易に想到しうることというべきである。
　さらに、相違点（ｃ）についてみると、引用発明１において、引用発明２に従い、高照度に制御される照明部（プリント画像の撮像に同期して被写体をストロボ発光して照明するストロボ照明手段）を設ける場合、制御手段に、少なくともストロボ照明手段で照明してカメラで撮像する処理を設定することは、当業者ならば普通に配慮することにすぎない。
　最後に、相違点（ｄ）についてみると、引用発明３は、「入力手段で前記撮像画像に落書き入力する」ことを開示しており、引用発明１の装置を、かかる操作が可能なものにすることは、当業者ならば容易に想到しうることであるところ、かかる操作を可能とするためには、制御装置に、入力手段で前記撮像画像の落書き入力を許容する処理を設定する必要のあることは当業者に明らかであるから、引用発明１において、制御手段に、入力手段で前記撮像画像の落書き入力を許容する処理を設定することは、当業者ならば容易に行いうることというべきである。
　
５． むすび
　よって、本願発明１は、本願の優先権主張の日前に頒布された上記刊行物１、２および４に記載された発明および周知の技術に基いて、その発明の属する技術の分野における通常の知識を有する者が容易に発明をすることができたものであるから、特許法第２９条第２項の規定により特許を受けることができない。
　よって、結論のとおり審決する。